(57)【要約】      （修正有）【課題】脇、胸など必要なところに香りを放出することが出来、携帯可能で、構造が簡単かつ安価な携帯用芳香具を提供する。【解決手段】直方体のケース本体内部に電源と、該電源によりスイッチ操作で作動するファンと、香り物収納部とから成り、ケース本体に形成された空気を吸引する吸引口および放出する放出口を有し、香り物収納部は香り物を収納するためにケース本体に開蓋可能に取り付けられるとともに、該収納部は香り物が収納可能である。【選択図】図１
0003170186.tif 000002
【実用新案登録請求の範囲】
【請求項１】
直方体のケース本体内部に電源と、該電源によりスイッチ操作で作動するファンと、香り物収納部とから成り、ケース本体に形成された空気を吸引する吸引口および放出する放出口を有し、香り物収納部は香り物を収納するためにケース本体に開蓋可能に取り付けられるとともに、該収納部は香り物が収納可能となるように形成された携帯用芳香具。
【考案の詳細な説明】
【技術分野】
【０００１】  本考案は、  ケース本体内部に電源と、該電源によりオン・オフするスイッチをケース本体外部に有し、該スイッチのオンによけ作動するファンが内蔵され、ケース本体の開蓋可能に取り付けられた香り物収納部を有するとともに、該香り物収納部は空気の流れを可能とする開口状に形成されており、香り物収納部は内蔵する香り物は空気の流れによりケース本体外部に放出する放出口を有し、ケース本体に設けた吸引口からなるものであり、吸引口、香り物収納部内の香り物、ファン、放出口の作動により、携帯用香り放出する芳香具に関するものである。
【背景技術】
【０００２】  従来、芳香のため香水等があるが直接肌や衣服にかけて使用するため、香水容器である瓶の持ち運びが必要であり、不便であるとともに量の加減と持続時間などが不明であるため、香りが強かったり、効果がなくなっていたりしていた。また、この種の香料は好む人と、好まない人がおり、公共の場での使用が気になる場合もあつた。これらから簡易な癒し効果のある香料を求められていた。
これらを解決するものとして、香りを長時間継続することが出来る芳香構造として特開２０００−１５２９８１号公報（特許文献１）が提案されている。この提案は電報カードの飾り部分にセラミック球を装着しその表面に香料を浸透させるものであるが、香りを長時間の芳香の持続は、目的を達成しているがさらに簡易なものが望まれる。また、化粧用コンパクトに芳香エレメントを折りたたみ式にとじこめたものが特開２００６−１０２３５６号公報（特許文献２）に提案されているが、携帯性の良さや容器・ケースの美しさの目的は達成しているが、香料の持続性は香水と変わるものではない。
また、簡易で携帯式としてのものが特開２００７−１５７２３号公報（特許文献３）として提案されているがスプレー式のものであり、揮発性物質を必要な時に発散させるものであり、簡易で携帯可能な点は良いが、揮発性物質の補充などの手間がある。
さらにカード型の薄型容器に液体香料を含浸させる発泡素材を装着するものが実開平２−１３１４４９号公法（特許文献４）提案されているが、液体香料を含浸させる手間が必要である。【０００３】
【特許文献１】特開２０００−１５２９８１号公報
【特許文献２】特開２００６−１０２３５６号公報
【特許文献３】特開２００７−１５７２３号公報
【特許文献１】実開平２−１３１４４９号公報
【考案の開示】
【考案が解決しようとする課題】
【０００４】  本考案は、上記従来装置に鑑み案出されたものであり、携帯可能で、構造が簡単かつ安価な携帯用芳香具を提供するものである。
【課題を解決するための手段】
【０００５】  本考案は、直方体のケース本体内部に電源と、該電源により作動するファンと、香り物収納部とから成り、ケース本体に形成された空気を吸引する吸引口および放出する放出口からなり、香り物収納部は香り物を収納するためにケース本体に開蓋可能に取り付けられるとともに、該収納部は香り物が収納可能となすとともに、吸引口と放出口への流れにおける収納物に接触する流れを可能とする開口を有するように形成され、オン・オフするスイッチをケース本体外部に有し、該スイッチのオンにより作動するファンが内蔵され、該香り物収納部は空気の流れを可能とする開口状に形成されており、香り物収納部は内蔵する香り物は空気の流れによりケース本体外部に放出する放出口を有し、ケース本体に設けた吸引口からなるものであり、吸引口、香り物収納部内の香り物、ファン、放出口の作動により、携帯用芳香具である。
【考案を実施するための形態】
【０００６】  実施例を図面に従って説明すると、図１は、本考案による芳香具の正面図（内部構造省略）である。図２は、本考案による芳香具の内部構造を示す平面図であり、図３は、本考案による芳香具の斜視図である。
本考案の携帯用芳香具Ａは、図１および図３の内部構造を省略しているが蓋状態の平面図に示すように直方体のケース本体１内部にボタン電池等の電源と、該電源により作動するファンにより香料を放出する放出部２と、ケース本体１の外部からの操作を可能と成したスイッチ３（図１の上部の突起）と、該スイッチの操作により電源とファンを繋ぐ配線部を有する本体機能部と、開蓋時に本体機能部と相対する側に形成された香料収納部４とから成っている。
よって、携帯用芳香具は、本体機能部と香料収納部４とから構成され、香料が収納されている。またこの香料はファンに連結している放出部２により保持されている。表面同士を接合することにより構成されている。図３に示すように上面にスイッチ２を有しており、大きさの一例として、その大きさは６ｃｍ×２ｃｍ×４ｃｍの大きさである。また、図３の右側の開口はファン２への外部空気の取り入れ口５である。
【０００７】  ケース本体に形成された空気を吸引する吸引口および放出する放出口からなり、香り物収納部は香り物を収納するためにケース本体に開蓋可能に取り付けられるとともに、該収納部は香り物が収納可能となすとともに、吸引口と放出口への流れにおける収納物に接触する流れを可能とする開口を有するように形成され、オン・オフするスイッチをケース本体外部に有し、該スイッチのオンにより作動するファンが内蔵され、該香り物収納部は空気の流れを可能とする開口状に形成されており、香り物収納部は内蔵する香り物は空気の流れによりケース本体外部に放出する放出口を有し、ケース本体に設けた吸引口からなるものであり、吸引口、香り物収納部内の香り物、ファン、放出口の作動により、携帯用芳香具である。
【考案の効果】
【０００８】  以上説明したように本考案は、ポケットサイズの小型であり、ファンによる香りの送風、電源は電池または太陽電池により作動するようになしたものである。
香りの元としては、個体のものとして香り成分の多いチュウインガムや、花、香水を浸したガーゼなどの液体でもよく、木の実、草の葉、薬草などの芳香剤でもよい。
また、複数の個体（異なった香りのミキシング、ガス混合による香りの創造）による香りのガス体の送風、ごく低濃度の送風、香を徐放することも可能である。
使用方法としては、スイッチを入れることにより脇、胸など必要なところに放出することが出来るばかりでなく趣味として香りを楽しむことが出来る。
【図面の簡単な説明】
【０００９】
【図１】本考案による芳香具の正面図である。
【図２】本考案による芳香具の芳香部分を示す平面図である。
【図３】本考案による芳香具の斜視図である。
【符号の説明】  Ａ・・・携帯用芳香具
１・・・ケース本体
２・・・放出部
３・・・スイッチ
４・・・香料収納部
５・・・取り入れ口
【図１】
0003170186.tif 000003
【図２】
0003170186.tif 000004
【図３】
0003170186.tif 000005